(57)【要約】【課題】顧客が商品見本を自由に手に取ることができ、商品見本確認後は、自動的に元の位置に正しい配置で戻る収納機能を付加した商品見本陳列台を得る。同時に、見本陳列台の美観を損なうことなく、当該商品や製造者に負のイメージを与えることない態様で、見本品の散逸を防ぎ、盗難を予防する商品見本陳列台を得る。【解決手段】  台紙３に見本品１１を取り付けた商品見本陳列台１であって、台紙は、保持具９１、張力方向転換点３１と吊下点４１を備えている。見本品１１の裏側１４に可撓線状体６１の一端６４を付着し、可撓線状体の他方端６５に錘６１を付着したものである。可撓線状体は張力方向転換点と吊下点を経由していて、錘の重量は、見本品の重量よりも重い。【選択図】図１
2010042160.tif 000002
【特許請求の範囲】
【請求項１】
台紙に見本品を取り付けた商品見本陳列台において、
前記台紙はその表面の一部領域である見本当接領域を含んでいて、
前記台紙は、前記台紙をおよそ垂直に保持するための保持具、張力方向転換点と、吊下点を備え、
前記張力方向転換点は前記見本当接領域内に位置付けられ、
前記吊下点は前記台紙の上端から下方への距離が前記台紙の垂直方向長さの１／３以内の領域である上方３分割領域内に位置付けられていて、
見本品の裏側に可撓線状体の一端を付着し、前記可撓線状体の他方端に錘を付着したものであり、
前記可撓線状体は、前記張力方向転換点を経由し、さらに、前記吊下点を経由していて、
前記錘の重量は、前記見本品の重量よりも重く、
前記見本品を前記見本当接領域に位置付けた状態で、前記吊下点から前記可撓線状体の他方端までの前記可撓線状体の長さがＬであって、前記見本品が見本当接領域から、最大距離Ｌ引き離し可能な商品見本陳列台。
【請求項２】
請求項１に記載した商品見本陳列台において、前記張力方向転換点は前記台紙に設けられた第一貫通穴であり、前記吊下点は前記台紙の裏面側に設けられていることを特徴とする商品見本陳列台。
【請求項３】
請求項１乃至２のいずれかに記載した商品見本陳列台において、
台紙に、垂直方向に伸びる錘案内筒を設け、前記錘は前記錘案内筒内を移動することを特徴とする商品見本陳列台。
【請求項４】
請求項１乃至３のいずれかに記載した商品見本陳列台において、
前記台紙の表面側に、さらに商品保持台を設けた商品見本陳列台。
【発明の詳細な説明】
【技術分野】
【０００１】
本発明は化粧品、日用雑貨品の展示販売に使用される見本品を陳列するための陳列台に関する。
【背景技術】
【０００２】
化粧品や日用雑貨品の販売において、顧客自身が陳列棚から希望商品を選択して購入する方式（セルフ方式）が多用されている。
【０００３】
しかし、包装されて陳列台に並べられている商品群の中から希望の商品を選択するのは難しく、顧客は商品を直接手にとって確認を希望するものである。特に、化粧品にあっては、例えば、アイカラー、頬紅などは色の種類が多く、顧客が見本（テスター品）を手などに塗布してその色味を試すことが必要である。
【０００４】
そこで、商品と共にテスター品を陳列棚に置くことが行われている。
【０００５】
一方、垂直台紙を使用する商品陳列台は、特に吊下ＰＯＰ型の商品陳列台は商店内での配置場所の自由度が高く、目立つ場所に陳列が可能であり、また、立体的なスペースを活用できることから、従来より多用されている。
【０００６】
従来の商品陳列台は、板状のベース部材をハンガー式に吊り下げて使用する構造であり、ベース部材の表面側に底板、側板などを張り出して、商品受け部を形成している（例えば、特許文献１参照。）。
【特許文献１】実開平５−３７１７１号公報
【発明の開示】
【発明が解決しようとする課題】
【０００７】
従来の商品陳列台において、商品受け部に見本を陳列することができる。
【０００８】
しかし、見本品を手に取った顧客が、当該見本品を元の商品受け部に、正しい配置（向き）で戻すことは必ずしも期待できない。商品受け部に見本と商品が混在したり、見本が誤った配置で放置されたりすると、商品の売上につながらないのみならず、当該商品のイメージ悪化を惹起する。
【０００９】
また、商品と同様に見本品を陳列すると、見本品の散逸が頻発し、あるいは盗難を助長することになる。これらを予防する措置は、見本陳列台の美観を損なうことなく、同時に当該商品や製造者に負のイメージを与えることない態様で行うことが求められる。
【００１０】
そこで、本発明は、顧客が商品見本を自由に手に取ることができ、商品見本確認後は、自動的に元の位置に正しい配置で戻る自動収納機能を付加した商品見本陳列台を得ることを課題とする。
【００１１】
また、本発明は、見本陳列台の美観を損なうことなく、同時に当該商品や製造者に負のイメージを与えることない態様で、見本品の散逸を防ぎ、盗難を予防する商品見本陳列台を得ることを課題とする。
【００１２】
本発明のその他の課題は、本発明の説明により明らかになる。
【課題を解決するための手段】
【００１３】
以下に課題を解決するための手段を説明する。理解を容易にするために、本発明の実施態様に対応する符号を付けて説明するが、本発明は当該実施態様に限定されるものではない。
【００１４】
本発明の一の態様にかかる商品見本陳列台は、
台紙（３）に見本品（１１）を取り付けた商品見本陳列台（１）において、
前記台紙（３）はその表面（４）の一部領域である見本当接領域（２１）を含んでいて、
前記台紙は、前記台紙をおよそ垂直に保持するための保持具（９１）、張力方向転換点（３１）と、吊下点（４１）を備え、
前記張力方向転換点は前記見本当接領域内に位置付けられ、
前記吊下点は前記台紙の上端から下方への距離が前記台紙の垂直方向長さの１／３以内の領域である上方３分割領域内（矢印８）に位置付けられていて、
見本品（１１）の裏側（１４）に可撓線状体（６１）の一端（６４）を付着し、前記可撓線状体の他方端（６５）に錘（５１）を付着したものであり
前記可撓線状体は、前記張力方向転換点を経由し、さらに、前記吊下点を経由していて、
前記錘の重量は、前記見本品の重量よりも重く、
前記見本品を前記見本当接領域に位置付けた状態で、前記吊下点から前記可撓線状体の他方端までの前記可撓線状体の長さがＬであって、前記見本品が見本当接領域から、最大距離Ｌ引き離し可能とした。
【００１５】
本発明の好ましい実施態様において、前記張力方向転換点は前記台紙に設けられた第一貫通穴であり、前記吊下点は前記台紙の裏面側に設けられていてもよい。
【００１６】
本好ましい実施態様によれば、可撓線状体、吊下点、錘など、見本品の自動収納を担う機構が台紙の裏側に位置し、顧客の視界から遠ざけられる。このため、見本陳列台の美観が損なわれることなく、陳列台本来の顧客吸引力が、従来と同様に発揮される。同様に、可撓線状体などが顧客の視界から遠ざけられるので、見本の陳列に、散逸防止と盗難予防手段を兼ねるものでありながら、当該商品や製造者に対する負のイメージは、より一層、極小化される。
【００１７】
もっとも、本発明にあっては、可撓線状体、吊下点、錘など、見本品の自動収納を担う機構が台紙の表面側に位置していてもよい。この場合であっても、自動収納機能は作用し、また、錘の上下移動などが顧客の興味を引き付けることも期待されるからである。
【００１８】
本発明の他の好ましい実施態様において、商品見本陳列台は、さらに、台紙に、垂直方向に伸びる錘案内筒を設け、前記錘は前記錘案内筒内を移動するものであってもよい。
【００１９】
本好ましい実施態様によれば、錘は錘案内筒内を移動するので、錘が商品見本陳列台の表面や裏面近傍の物品と接触しない。よって商品見本陳列台設置場所の自由度が増す。また、単一の台紙上に、可撓線状体や錘などからなる複数の自動収納機能付き見本品を配置しても、錘どおしの接触などが生じない。さらに、台紙への錘案内筒の設置は、台紙に、台紙の縦方向に補強を付する結果となり、台紙の反りなどの変形が防止される効果もある。
【００２０】
もっとも、本発明にあっては、錘は自由空間を上下移動するものであってもよいので、錘案内筒はなくてもよい。
【００２１】
本発明のその他の好ましい実施態様において、本発明にかかる商品見本陳列台は、前記台紙の表面側に、さらに商品保持台を設けてもよい。
【００２２】
本好ましい実施態様にかかる商品見本陳列台は、商品保持台に商品を設置すれば、見本品と商品が同一陳列台に陳列されるので、より顧客に便利な陳列台となる。また、当該商品保持台に試供品を設置して、試供品の持ち帰り用陳列台にすることもできる。
【００２３】
以上説明した本発明、本発明の好ましい実施態様、これらに含まれる構成要素は可能な限り組み合わせて実施することができる。
【発明の効果】
【００２４】
本発明は、顧客が見本品を自由に手に取ったり、手許まで引き寄せてじっくり観察したり、芳香を確認したり、また、見本品を手などに塗ったりすることができる。そして見本品を手放すと、見本品は元の位置に正しい配置で戻る自動収納される。
【００２５】
見本品は、可撓線状体を介在して台紙に付着されていて、見本品の散逸が防がれ盗難が予防される。そして、上記自動収納の目的で見本品に可撓線状体が付着されていることが即座に理解されるので、散逸防止と盗難予防手段を兼用するものでありながら、無粋なイメージからかけ離れた防止や予防手段となる。このため、当該商品や製造者に負のイメージを与えることない商品見本陳列台となる。
【発明を実施するための最良の形態】
【００２６】
以下、図面を参照して本発明の実施例にかかる商品見本陳列台をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２７】
図１は商品見本陳列台１を表面方向から見た斜視図であり、図２は商品見本陳列台１の裏面図である。
【００２８】
商品見本陳列台１は台紙３に３個の見本品１１、１２、１３が取付けられている。
【００２９】
台紙３の表面側４には、見本品の収納位置である３つの見本当接領域２１、２２、２３が在る。見本当接領域は、見本品が収納位置にある場合に、台紙表面が見本品によって覆われる領域であり、見本品の輪郭線を台紙表面に投影した投影線に囲まれる領域である。本実施例にかかる商品見本陳列台１において、見本当接領域２１、２２、２３は、実際上、台紙の表面４から前方に張り出した３つの見本保持台２１１、２２１、２３１である。
【００３０】
見本品が見本保持台に当接している配置が、見本品が収納位置に収納されている配置である。図示した見本品１２と見本品１３は、収納位置に収納されている状態である。また、見本品１１は収納位置から取り外され、引き出された状態を図示している。
【００３１】
各々の見本保持台は、底板２４、２つの側板２５、２６、前立板２７からなる。また、保持台は仕切板２８を有する。仕切板２８は上端が台紙の表面４と当接し、下端が台紙から前方へ一定距離離れた位置にある。
【００３２】
見本品が収納位置に収納されている状態で、見本品の裏面は仕切板２８に当接する。仕切板２８が水平方向に一定角度の傾斜を有するので、見本品の表面も水平方向に一定の角度の傾斜を有する。このため、顧客に見本品が見やすい状態に収納される。また、仕切板２８は、見本品の自動収納にあたり、見本品の収納位置を案内する役割も担っている。
【００３３】
仕切板２８の中央部は空隙部２９となっている。
【００３４】
台紙３は、台紙をおよそ垂直に保持するための保持具である吊り紐９１を備えている。吊り紐９１を棚から突出するフックなどに係合して台紙３をおよそ垂直に吊り下げる。保持具は、吊り紐９１に限られず、任意の保持具を付ければよい。例えば、台紙の裏面及び／または表面に脚部を設けてもよく、底板を設けてもよく、また、吊り下げ用の穴を設けてもよい。
【００３５】
台紙はおよそ垂直に保持されればよい。およそ垂直とは、台紙表面４と鉛直線の作る２つの角度の中で数値の小さい方が、通常３０度以下、好ましくは２０度以下、より好ましくは１０度以下に保持されればよい。また、およそ垂直とは、台紙の上端６が下端７よりも台紙の表面前方に位置付けられてもよく、台紙の上端６が下端７よりも台紙の裏面後方に位置付けられてもよく、台紙の上端６と下端７が同一鉛直面に含まれてもよい。
【００３６】
台紙３の保持状態は固定状態であっても、あるいは空気流などで揺動するものであってもよい。
【００３７】
台紙３は、張力方向転換点３１、３２、３３を備えている。本実施例では張力方向転換点は、台紙３に設けた第一貫通穴である。張力方向転換点は、例えば断面の形状が円、楕円などの棒状部材、フック、滑車などであってもよい。
【００３８】
張力方向転換点は見本当接領域内に位置付けられている。本例の商品見本陳列台１において、張力方向転換点３１、３２、３３は、台紙表面４への見本保持台２１１、２２１、２３１の投影輪郭線の内部にある。そして、台紙表面４への仕切板２８の空隙部２９の投影輪郭線の内部にある。
【００３９】
台紙３は、吊下点４１、４２、４３を備えている。本実施例では吊下点は、錘案内筒７１、７２、７３の上部に設けた第二貫通穴である。
【００４０】
吊下点４１、４２、４３は上方３分割領域内（矢印８で示す上下範囲領域）に位置付けられている。すなわち、台紙の上端６と上端７までの距離をＨとし、上端６から１／３Ｈまでの距離にある領域が上方３分割領域内（矢印８で示す上下範囲領域）である。距離Ｈは台紙の垂直方向長さである。
【００４１】
吊下点は、通常上方３分割領域内、好ましくは上方４分割領域内、より好ましくは上方５分割領域内に位置付ける。吊下点を上記の領域内に位置付けることにより、台紙３の縦方向長さを錘５１、５２、５３の移動領域として効率的に使用することができ、見本品の最大引き出し距離をより一層大きくすることができる。
【００４２】
台紙３の裏面には上下方向に伸びる錘案内筒７１、７２、７３が付けられている。通常、単一の錘案内筒内に単一の錘を配置する。もっとも、本発明においては単一の錘案内筒内に、可撓線状体と連結された錘を複数組配置、例えば、錘案内筒７２の内表面断面を大きくして、錘案内筒７２の中に、可撓線状体６１と錘５１、可撓線状体６２と錘５２、可撓線状体６３と錘５３を配置してもよい。もっとも、可撓線状体の絡み合いや錘どおしの接触が無い点から、単一の錘案内筒内に単一の錘を配置することが好ましい。
【００４３】
商品見本陳列台１では、錘案内筒は断面三角形の三角柱形状である。錘が自由に内部を移動できるのであれば、錘案内筒の形状に特に制限はなく、例えば、円柱、四角柱、多角柱などであってもよい。また、錘案内筒内の空間を有効利用するために、錘の断面形状を錘案内筒の内表面断面と同形状にしてもよい。
【００４４】
錘案内筒は台紙と別体の厚紙などで作ってもよい。錘案内筒の一の側面は台紙の面であってもよい。あるいは、両端に位置する錘案内筒７１、７３は台紙３と一体の材料用紙として、材料用紙の端部を折り曲げて、錘案内筒を形成してもよい。
【００４５】
錘案内筒は、例えば接着手段で、台紙３に貼り付ければよい。接着手段は、任意の手段を用いることができる。例えば、接着剤、両面粘着テープなどが使用できる。錘案内筒は台紙の補強手段としても作用し、錘案内筒を付けることにより、台紙３の反りや変形を防止することができる。
【００４６】
吊下点４１、４２、４３は、錘案内筒の側面に形成した第二の貫通穴である。吊下点は、張力方向転換点と同様に、台紙３に直接設けた、あるいは、錘案内筒の側面に形成した棒状部材、フック、滑車などであってもよい。もっとも、貫通穴にすることが好ましい。特に吊下点を貫通穴とし、錘の外形寸法を当該貫通穴より大きくすれば、錘が吊下点に至ると確実に移動が止まる。そして、引っ張り力が作用しなくなれば、錘が重力で落下する。このため、見本品の引き出し停止と自動収納がスムーズに行われる。
【００４７】
また、左右の両端に位置する錘案内筒７１と７３の上部には吊り紐貫通穴９２を開け、保持具である吊り紐９１を通している。
【００４８】
見本品１１、１２、１３の裏側に可撓線状体６１、６２、６３の一端を付着している。たとえば、見本品１１の裏面１４に可撓線状体６１の一端６４を付着している。もっとも、見本品用のケースを準備し、ケースの裏側に可撓線状体を付着し、当該ケースに見本品を入れてもよい。
【００４９】
可撓線状体６１、６２、６３は、例えば、紐、糸、釣糸、鎖などを挙げることができる。紐は、例えば、天然繊維製の糸（例えば、綿糸や絹糸）、あるいは、合成繊維の糸（例えば、ポリエチレン糸やナイロン糸）を編んだ紐、あるいは、帯状の合成樹脂フィルムを丸めた紐などを挙げることができる。釣糸は、例えば、ナイロンやフロロカーボンを材料とした単一繊維の釣糸や、ポリエチレンを材料としてマルチフィラメントの釣糸を挙げることができる。鎖は、金属や合成樹脂の環をつなぎあわせた鎖を挙げることができる。
【００５０】
本発明において、可撓線状体は張力を与えても実質的な長さが一定であるものである。可撓線状体１ｍあたりに張力１Ｋｇを１分間あたえて、長さの変化が５ｃｍ以下である。
【００５１】
ゴム紐は、上記の長さ変化の関係を満たさず、可撓線状体から除かれる。糸を編んだ紐は市販状態ですこし縮んでいるので張力を付加すると当該縮みの分だけ伸びるが、その後は張力を与えても実質的な長さが一定であり、通常、上記の長さ変化の関係を満足する。
【００５２】
一端に見本品を付けた可撓線状体は、張力方向転換点である第一貫通穴に通し、さらに、吊下点である第二貫通穴に通している。そして、可撓線状体の他方端に錘を付着している。
【００５３】
錘の重量は見本品の重量よりも重いことが必要である。最適な錘の重さは、見本品の自動収納の動きを試し、試行錯誤で定めればよい。
【００５４】
見本品１１は可撓線状体６１を介在して錘５１と連結されている。可撓線状体６１は張力方向転換点３１と吊下点４１を経由している。見本品１２は可撓線状体６２を介在して錘５２と連結されている。可撓線状体６２は張力方向転換点３２と吊下点４２を経由している。見本品１３は可撓線状体６３を介在して錘５３と連結されている。可撓線状体６３は張力方向転換点３３と吊下点４３を経由している。
【００５５】
見本品を見本当接領域に位置付けた状態で、吊下点から可撓線状体の他方端までの可撓線状体の長さがＬである。図示の状態で見本品１３は見本当接領域２３である見本保持台２２３に位置付けられている。見本品１３に付着された可撓線状体６３にあって、吊下点４３から他方端部６５までの長さはＬである。顧客が見本品１３を手に取り、見本保持台２３１から引き離すと、当該引き離しの力は可撓線状体６３を通じて錘５３に伝わり、錘５３が錘案内筒７３内を上方に移動する。錘７３が吊下点４３に接する位置まで上方移動すれば、錘はその後移動不可能であり、可撓線状体６３の移動も停止する。この状態が、見本品１３の最大引き離し状態であり、見本保持台からの見本品までの距離がＬとなる。
【００５６】
上述したように吊下点を貫通穴とし錘の外形を貫通穴より大きくすれば、吊下点に錘がつかえて錘の移動が止まる。吊下点を棒状部材、フック、滑車などにした場合には、適宜の係止手段を錘の直上部に設ければよい。
【００５７】
顧客が見本品１３から手を離せば、錘５３を上方に保持している力が無くなるので、錘５３が重力により下方に移動する。当該下方移動の力は、可撓線状体６３を通じて見本品１３に伝わる。そして、当該力は、可撓線状体６３が張力方向転換点３３を経由しているので、見本品１３を台紙３の表面４方向に引き付ける力として作用する。このようにして、見本品１３は見本当接領域２３に近づき、最後は仕切板２８に案内されて収納状態である見本保持台２３１に収納される。
【００５８】
また、台紙３には台紙の表面４から前方に張り出した３つの商品保持台８１、８２、８３を設けている。商品保持台は、底板８４、２つの側板８５、８６、前立板８７からなる。商品保持台に、近接する見本品に対応した商品を保持することができる。例えば、見本品１１に対応する商品を商品保持台８１に保持し、見本品１２に対応する商品を商品保持台８２に保持すればよい。
【００５９】
もっとも、本発明において、商品保持台と見本品を必ずしも近接させなくてもよい。
【００６０】
台紙３と錘案内筒は例えば厚紙で作ればよい。
【００６１】
見本のための保持台と商品保持台は、ＰＥＴ樹脂フィルムや紙で作ればよい。錘は金属体などで作ればよい。
【００６２】
台紙や錘案内筒に設けた第一貫通穴、第二貫通穴には、はとめを付けてもよい。アルミニウムや真鍮のはとめを付けると、磨耗などによる経時変化が防止され、耐久期間が長期化する。
【産業上の利用可能性】
【００６３】
本発明にかかる商品見本展示台は、例えば、化粧品や日用雑貨品の販売において、見本陳列台として使用することができる。特に、化粧品、例えば、アイカラー、頬紅など、種類が多い、顧客が見本の実際使用を望む商品の商品見本展示台として好適である。
【図面の簡単な説明】
【００６４】
【図１】商品見本陳列台１を表面方向から見た斜視図である。
【図２】商品見本陳列台１の裏面図である。
【符号の説明】
【００６５】
１    商品見本陳列台
３    台紙
８    上方３分割領域を示す矢印
１１、１２、１３  見本品
２１、２２、２３  見本当接領域
３１、３２、３３  張力方向転換点
４１、４２、４３  吊下点
５１、５２、５３  錘
６１、６２、６３  可撓線状体
７１、７２、７３  錘案内筒
８１、８２、８３  商品保持台
２１１、２２１、２３１  見本保持台
【図１】
2010042160.tif 000003
【図２】
2010042160.tif 000004